(57)【要約】【課題】手首などに巻いて用いる際、膚に対するソフト感のあるリストバンドの製造方法およびリストバンドを提供することを課題とする。【解決手段】印字により表面側に、少なくとも患者識別データが表示可能な表示部、およびこの表示部の両端に連続してなだらかなテーパー状に形成されたテーパー部、並びにこのテーパー部に連続して延伸され、係止穴を有して前記表示部より幅が細い係止部を備え、前記表示部、テーパー部およびこれに連続する係止部の周縁部がミシン目により型抜きされるよう成形されたバンド本体部３を備えたバンド基材と、このバンド基材の裏面に、粘着剤層を介して貼合された軟質性材料により作製された貼り合せ基材１５と、の積層構造とされる。【選択図】      図５
2004298443.tif 000002
【特許請求の範囲】
【請求項１】
印字により表面側に、少なくとも患者識別データが表示可能な表示部、およびこの表示部の両端に連続してなだらかなテーパー状に形成されたテーパー部、並びにこのテーパー部に連続して延伸され、係止穴を有して前記表示部より幅が細い係止部を備え、前記表示部、テーパー部およびこれに連続する係止部の周縁部がミシン目により型抜きされるよう成形されたバンド本体部を備えたバンド基材と、
このバンド基材とほぼ同形状に表面側からミシン目により貼り合せ本体部が成形されるとともに、裏面に粘着剤層が形成され台紙に仮着された貼り合せ基材とを備え、
前記バンド基材の表示部に前記患者識別データを表示後、バンド基材より前記ミシン目に沿ってバンド本体部を切り離し、かつ、前記貼り合せ基材の台紙より前記ミシン目に沿って前記貼り合せ本体部を剥がし、バンド本体部の裏面に前記粘着剤層を介して貼り合せ本体部を重ね合せて貼合することを特徴とするリストバンドの製造方法。
【請求項２】
前記貼り合せ基材は、ポリウレタン、軟質ポリ塩化ビニールフィルム、非塩化ビニールフィルム、オリフィン系フィルム、ポリオレフィン系フィルムのいずれかにより作製されていることを特徴とする請求項１に記載のリストバンドの製造方法。
【請求項３】
前記貼り合せ基材のミシン目により成形された貼り合せ本体部は、バンド基材のミシン目により成形されたバンド本体部より若干小さめとされていることを特徴とする請求項１ないし２に記載のリストバンドの製造方法。
【請求項４】
印字により表面側に、少なくとも患者識別データが表示可能な表示部、およびこの表示部の両端に連続してなだらかなテーパー状に形成されたテーパー部、並びにこのテーパー部に連続して延伸され、係止穴を有して前記表示部より幅が細い係止部を備え、前記表示部、テーパー部およびこれに連続する係止部の周縁部がミシン目により型抜きされるよう成形されたバンド本体部を備えたバンド基材と、
このバンド基材の前記表示部および係止部の幅に見合う大きさの円形または角状に型抜きされるとともに、裏面に形成された粘着剤層を介して台紙上に間欠的に複数仮着された貼り合せ本体部を備えた貼り合せ基材とを備え、
前記バンド基材の表示部に患者識別データを表示後、前記バンド基材より前記ミシン目に沿ってバンド本体部を切り離し、かつ、前記貼り合せ基材の台紙より前記貼り合せ本体部を剥がし、バンド本体部の裏面に前記粘着剤層を介して貼り合せ本体部を重ね合せて貼合することを特徴とするリストバンドの製造方法。
【請求項５】
前記バンド基材の裏面に、前記貼り合せ本体部の貼り付け目安位置表示が予め設けられていることを特徴とする請求項４に記載のリストバンドの製造方法。
【請求項６】
印字により表面側に、少なくとも患者識別データが表示可能な表示部、およびこの表示部の両端に連続してなだらかなテーパー状に形成されたテーパー部、並びにこのテーパー部に連続して延伸され、係止穴を有して前記表示部より幅が細い係止部を備え、前記表示部、テーパー部およびこれに連続する係止部の周縁部がミシン目により型抜きされるよう成形されたバンド本体部を備えたバンド基材と、
前記バンド本体部の裏面に、粘着剤層を介して貼合された軟質性材料により作製された貼り合せ本体部と、
の積層構造とされたことを特徴とするリストバンド。
【請求項７】
前記貼り合せ本体部は、ポリウレタン、軟質ポリ塩化ビニールフィルム、非塩化ビニールフィルム、オリフィン系フィルム、ポリオレフィン系フィルムのいずれかにより作製されていることを特徴とする請求項６に記載のリストバンド。
【請求項８】
前記貼り合せ本体部は、バンド本体部の裏面に対しほぼ全面、もしくは間欠的に貼合されていることを特徴とする請求項６ないし７に記載のリストバンド。
【発明の詳細な説明】
【０００１】
【発明の属する技術分野】
本発明は、特に、病院において患者の手首や足首などに巻付けて使用されるリストバンドの製造方法およびリストバンドに関する。
【０００２】
【従来の技術】
従来、病院などでは、患者の名前や血液型、患者ＩＤを示すバーコードなどの患者識別データをリストバンドに表示し、これを患者の手首または足首などに取付けることにより、患者を管理、識別することが行われている。
【０００３】
一般にこの種のリストバンドは、患者に取り付けるという理由から、従来は膚に対する密着性が比較的良好なビニール製のものが多く利用されており、バンド本体の表面に、前述した患者名や血液型などの患者識別データを、例えば、水性マジックによって手書きで記入するようなことが行われている。
【０００４】
しかしながら、ビニール製のリストバンドは、水性マジックによって手書きで記入するため書きにくく、また、書いたとしても消え易いものであり、更に、比較的高価であるという問題があった。
【０００５】
このため、ビニール製に比べ安価であり、前述患者識別データが印字でき、更に、印字された患者識別データが消えにくいような、布帛で作製されたリストバンドが提案されている（例えば、特許文献１参照）。
【０００６】
しかしながら、布帛で作製されたリストバンドは、ビニール製より安価であり、表示された患者識別データが消えにくいというメリットがある反面、膚に対するソフト感がビニール製に比べて乏しく、例えば、赤ちゃんなどには刺激感があって使用しにくいという問題があった。
【０００７】
【特許文献１】
特開平２００１−１３７０１７号公報（従来例、図３、図２）
【０００８】
【発明が解決しようとする課題】
本発明は、上記のような問題点に着目してなされたものであり、手首などに巻いて用いる際、膚に対するソフト感のあるリストバンドの製造方法およびリストバンドを提供することを課題とする。
【０００９】
【課題を解決するための手段】
上記課題を達成するため、本発明に係るリストバンドの製造方法は、印字により表面側に、少なくとも患者識別データが表示可能な表示部、およびこの表示部の両端に連続してなだらかなテーパー状に形成されたテーパー部、並びにこのテーパー部に連続して延伸され、係止穴を有して前記表示部より幅が細い係止部を備え、前記表示部、テーパー部およびこれに連続する係止部の周縁部がミシン目により型抜きされるよう成形されたバンド本体部を備えたバンド基材と、このバンド基材とほぼ同形状に表面側からミシン目により貼り合せ本体部が成形されるとともに、裏面に粘着剤層が形成され台紙に仮着された貼り合せ基材とを備え、前記バンド基材の表示部に前記患者識別データを表示後、バンド基材より前記ミシン目に沿ってバンド本体部を切り離し、かつ、前記貼り合せ基材の台紙より前記ミシン目に沿って前記貼り合せ本体部を剥がし、バンド本体部の裏面に前記粘着剤層を介して貼り合せ本体部を重ね合せて貼合することを特徴とする。
また、貼り合せ基材は、ポリウレタン、軟質ポリ塩化ビニールフィルム、非塩化ビニールフィルム、オリフィン系フィルム、ポリオレフィン系フィルムのいずれかにより作製されるようにできる。
また、貼り合せ基材のミシン目により成形された貼り合せ本体部は、バンド基材のミシン目により成形されたバンド本体部より若干小さめとされるようにできる。
更に、第２の発明に係るリストバンドの製造方法は、印字により表面側に、少なくとも患者識別データが表示可能な表示部、およびこの表示部の両端に連続してなだらかなテーパー状に形成されたテーパー部、並びにこのテーパー部に連続して延伸され、係止穴を有して前記表示部より幅が細い係止部を備え、前記表示部、テーパー部およびこれに連続する係止部の周縁部がミシン目により型抜きされるよう成形されたバンド本体部を備えたバンド基材と、このバンド基材の前記表示部および係止部の幅に見合う大きさの円形または角状に型抜きされるとともに、裏面に形成された粘着剤層を介して台紙上に間欠的に複数仮着された貼り合せ本体部を備えた貼り合せ基材とを備え、前記バンド基材の表示部に患者識別データを表示後、前記バンド基材より前記ミシン目に沿ってバンド本体部を切り離し、かつ、前記貼り合せ基材の台紙より前記貼り合せ本体部を剥がし、バンド本体部の裏面に前記粘着剤層を介して貼り合せ本体部を重ね合せて貼合することを特徴とする。
また、バンド基材の裏面に、前記貼り合せ本体部の貼り付け目安位置表示が予め設けられるようにできる。
更に、本発明に係るリストバンドは、印字により表面側に、少なくとも患者識別データが表示可能な表示部、およびこの表示部の両端に連続してなだらかなテーパー状に形成されたテーパー部、並びにこのテーパー部に連続して延伸され、係止穴を有して前記表示部より幅が細い係止部を備え、前記表示部、テーパー部およびこれに連続する係止部の周縁部がミシン目により型抜きされるよう成形されたバンド本体部を備えたバンド基材と、前記バンド本体部の裏面に、粘着剤層を介して貼合された軟質性材料により作製された貼り合せ本体部と、の積層構造とされたことを特徴とする。
また、前記貼り合せ本体部は、ポリウレタン、軟質ポリ塩化ビニールフィルム、非塩化ビニールフィルム、オリフィン系フィルム、ポリオレフィン系フィルムのいずれかにより作製されるようにできる。
また、前記貼り合せ本体部は、バンド本体部の裏面に対しほぼ全面、もしくは間欠的に貼合されるようにできる。
【００１０】
【発明の実施の形態】
以下、図１ないし図５を参照して、本発明に係るリストバンドの好適な一実施の形態について説明する。
【００１１】
図１は、リストバンドのバンド基材の平面図であり、バンド基材１にはミシン目（マイクロミシン目を含む）２でバンド本体部３が成形されている。
バンド本体部３は、長手方向Ｘの中央部分に形成された表示部４と、この表示部４の両側に連続してなだらかに形成されたテーパー部５と、更に、このテーパー部５に連続して、前記表示部４より幅細に形成された係止部６とから成り、前記ミシン目２によりバンド基材１より型抜きされるようになっている。
また、係止部６には、図示省略の止め具により係止するための係止穴７およびセット穴８が形成されている。
また、バンド基材１は、長手方向Ｘに沿って帯状に連続的に形成されており、隣り合うバンド基材１同士の境界部分にミシン目９が形成されている。
バンド基材１は、連続的に形成されているが、前記ミシン目９を利用することにより、カッター等を用いなくても、手で簡単に切り離すことができる。
更に、バンド基材１は、紙またはポリエチレンなどにより作製されている。
【００１２】
図２は、バンド基材１に成形されたミシン目２に沿ってバンド本体部３を型抜きした状態を示す斜視図であり、バンド基材１のバンド本体部３の表示部４に既知のプリンタで所望の患者識別データ１０を印字した後、バンド基材１からバンド本体部３を抜き取って使用する。
【００１３】
図３は、貼り合せ基材１１が連接された状態を示す平面図であり、図４は、図３中の矢示ＩＶ−ＩＶ線に沿う断面図である。
貼り合せ基材１１は、フィルム基材１２の裏面に粘着剤層１３が形成され、この粘着剤層１３を介して台紙１４に仮着された積層構造となっている。
フィルム基材１２は、ポリウレタン、軟質ポリ塩化ビニールフィルム、非塩化ビニールフィルム、オリフィン系フィルム、ポリオレフィン系フィルムなどの柔軟性のある材質で作製されている。
また、貼り合せ基材１１のフィルム基材１２には、前記バンド本体部３とほぼ同様の形状の貼り合せ本体部１５が間欠的なミシン目１６により成形されており、このミシン目１６に沿って剥がすと、粘着剤層１３が裏面に形成された状態で台紙１４より貼り合せ本体部１５が型抜きされるようになっている。
なお、１８および１９はともに、フィルム基材１２および粘着剤層１３を貫通する貫通穴であって、前記バンド基材１のセット穴８に対応する位置に設けられた貫通穴１８、およびバンド基材１の係止穴７に対応する位置に設けられた貫通穴１９とされる。
また、貼り合せ本体部１５は、前記バンド基材１のセット穴８および係止穴７に対する前記貫通穴１８、１９の貫通位置を確保した上で、バンド本体部３より若干小さめに成形することが望ましい。
【００１４】
次に、本発明に係るリストバンドの製造方法につき説明する。
先ず、既知のラベルプリンタにバンド基材１をセットし、表示部４に患者名、血液型などの患者識別データ１０を印字する。
バンド基材１は、紙またはポリエチレンなどにより作製されているので、患者識別データ１０を印字する際、インクの載りも良く印字不良を起こしにくい。
患者識別データ１０が印字されたバンド基材１は、境界部分のミシン目９を利用して隣接するバンド基材より手で切り離す。
次いで、バンド基材１のミシン目２に沿ってバンド本体部３を切り離す（図２参照）。
【００１５】
次に、貼り合せ基材１１のミシン目１６に沿って台紙１４より貼り合せ本体部１５を剥がす。そして、前記バンド本体部３の裏面に、いま剥がした貼り合せ本体部１５を重ね合せ指などにより圧力を掛けることにより、図５に示されるように、粘着剤層１３を介して貼り合せ本体部１５がバンド本体部３に重合され、紙製またはポリエチレン製のバンド本体部３に対し、裏面に柔軟性のある材質でできた貼り合せ本体部１５が積層されたリストバンド１７が得られることになる。そして、このリストバンド１７を、例えば患者の手首の太さに見合う輪状にして巻き付け、セット穴８と適宜の係止穴７を選択して図示省略の止め具にて止め、余った係止部６を切り取ることにより、患者識別データが表示された「リストバンド」が患者に装着されるものである。
なお、「リストバンド」が患者に装着された際、患者の膚には、柔軟性のある材質でできた貼り合せ本体部１５が接触するため、膚への刺激が少なく、良好な装着感を得ることができる。
また、バンド本体部３の大きさよりも貼り合せ本体部１５を若干小さめに作製しているので、バンド本体部３に対して貼り合せ本体部１５を積層した際、裏面の貼り合せ本体部１５がはみ出すことがない。
【００１６】
次に、図６および図７を参照して本発明に係るリストバンドの第２の実施の形態を示す。
なお、以下において、先の実施の形態と同様の部分は同一符号を付すに止め、詳説を省略する。
【００１７】
図６は、貼り合せ基材２１が連接された状態を示す平面図であり、貼り合わせ基材２１は、型抜きされた円形状の貼り合せ本体部２２が、裏面の粘着剤層１３を介して台紙１４上に間欠的に複数形成された構成となっている。貼り合せ本体部２２以外のフィルム基材１２は、いわゆる「カストリ」されて台紙１４が見えている状態を示している。
【００１８】
台紙１４に粘着剤層１３を介して仮着された貼り合せ本体部２２は、バンド本体部３の表示部４の幅に見合う大き目の貼り合せ本体部２２ａと、係止部６の幅に見合う小さめの貼り合せ本体部２２ｂと、更に、貼り合せ本体部２２ｂとほぼ同じ小さめのサイズであって、かつ、係止穴７用の貫通穴２３を備えた貼り合せ本体部２２ｃとから成っている。
そして、患者識別データ１０が印字されたバンド本体部３の裏面に対し、台紙１４より貼り合せ本体部２２を剥がして重ね合せ指などにより圧力を掛けて貼り付けることにより、「リストバンド」が作製されるものである。
【００１９】
なお、図７は、バンド本体部３の裏面側の平面図であり、貼り付け目安位置表示２４が予め印刷されていることを示している。すなわち、貼り合わせ基材２１の台紙１４より剥がした貼り合せ本体部２２をバンド本体部３に貼り付ける際の貼り付け位置の目安となるものであり、この貼り付け目安位置表示２４によりほぼ定位置への貼り合せ本体部２２の重ね合せによる貼合が望めるものである。
【００２０】
また、本実施の形態においては、貼り合せ本体部２２以外の不要なフィルム基材１２を「カストリ」してあるので、先の実施の形態の貼り合せ本体部１５がミシン目１６によって型抜きされている状態に比し、台紙１４より剥がしやすいものである。
また、本実施の形態における貼り合せ本体部２２は、円形状に型抜きされたものとして説明したがこれに限定されないことは勿論であり、楕円形であっても、また、角状であっても構わない。
その他の構成、作用、効果は、先の実施の形態と同様につき、詳説を省略する。
【００２１】
次に、図８を参照して本発明に係るリストバンドの第３の実施の形態を示す。
なお、以下において、先の実施の形態と同様の部分は同一符号を付すに止め、詳説を省略する。
【００２２】
図８は、バンド本体部３の裏面に貼り合せ本体部２５を貼り付けて作製されたリストバンド２６を示し、リストバンド２６の裏面側（患者識別データが表示された表示部４の裏面側）より見た斜視図である。
第１の実施の形態では、貼り合せ基材１５をほぼバンド本体部３の形状と同じに成形した例で説明したが、本実施の形態では、リストバンド２６を輪状にして患者に装着する際、余った係止部６は切り取って患者に用いることから考えて、バンド本体部３の係止部６に対応する貼り合せ基材２５の成形は、幅広の表示部４から係止穴７で２つくらいの部分までの成形としてある。
貼り合せ基材２５を表示部４近辺の成形のみに止めることにより材料費が少なくて済み、かつ、幅の細い係止部６に対する貼合が容易となる。
その他の構成、作用、効果は、先の実施の形態と同様につき、詳説を省略する。
【００２３】
なお、上記実施の形態においては、説明の都合上、貼り合せ基材１１、２１は長手方向の辺同士が連接された状態で説明したがこれに限定されないことは勿論であり、バンド基材１と同様、帯状に連接されていても構わない。
【００２４】
【発明の効果】
この発明に係るリストバンドの製造方法、以上説明したように、バンド基材の表示部に患者識別データを表示後、バンド基材よりバンド本体部を切り離し、貼り合せ基材より剥がした貼り合せ本体部をバンド本体部の裏面に重ね合わせて貼合するようにしたので、患者に装着された際、患者の膚には、柔軟性のある材質でできた貼り合せ本体部が接触するため、膚への刺激が少なく、良好な装着感を得ることができるという効果がある。
【００２５】
また、この発明に係るリストバンドは、バンド基材と、バンド基材の裏面に粘着剤層を介して貼合された軟質性材質により作製された貼り合せ基材との積層構造より成るので、患者に装着された際、患者の膚には、柔軟性のある材質でできた貼り合せ本体部が接触するため、膚への刺激が少なく、良好な装着感を得ることができるという効果がある。
【図面の簡単な説明】
【図１】本発明の第１の実施の形態に係るリストバンドのバンド基材の平面図である。
【図２】同、バンド基材よりバンド本体部を切り離した状態を示す斜視図である。
【図３】同、リストバンドの貼り合せ基材の平面図である。
【図４】同、図３中、矢示ＩＶ−ＩＶ線に沿う概略断面図である。
【図５】同、バンド本体部の裏面に貼り合せ本体部を貼り付けて作製されたリストバンドの、裏面よりの概略斜視図である。
【図６】第２の実施の形態を示すリストバンドの貼り合せ基材の平面図である。
【図７】同、バンド本体部の裏面側から見た平面図である。
【図８】第３の実施の形態のリストバンドの裏面より見た概略斜視図である。
【符号の説明】
Ｘ  長手方向
１  バンド基材
２  ミシン目
３  バンド本体部
４  表示部
５  テーパー部
６  係止部
７  係止穴
８  セット穴
９  ミシン目
１０  患者識別データ
１１  貼り合せ基材（第１の実施の形態）
１２  フィルム基材
１３  粘着剤層
１４  台紙
１５  貼り合せ本体部
１６  ミシン目
１７  リストバンド
１８、１９  貫通穴
２１  貼り合せ基材（第２の実施の形態）
２２、２２ａ、２２ｂ、２２ｃ  貼り合せ本体部
２３  貫通穴
２４  貼り付け目安位置表示
２５  貼り合せ本体部
２６  リストバンド
【図１】
2004298443.tif 000003
【図２】
2004298443.tif 000004
【図３】
2004298443.tif 000005
【図４】
2004298443.tif 000006
【図５】
2004298443.tif 000007
【図６】
2004298443.tif 000008
【図７】
2004298443.tif 000009
【図８】
2004298443.tif 000010